(57)【要約】【課題】安全性や取り扱い性がよく、磁力の増大が図れ、アウタパイプの離脱や脱落の発生がないアウタパイプ付バーマグネットを提供する。【解決手段】アウタパイプ付バーマグネットはバーマグネット本体とこれを被包するアウタパイプとからなり、バーマグネットの端面とアウタパイプの端面との間には両者を磁着する磁性体が設けられている。これによりバーマグネットとアウタパイプとは一体的に結合され離脱が生じない。【特許請求の範囲】
【請求項１】
外径のほぼ同一のマグネットとヨーク（極板）とを交互に隣接して配置しその外面を磁性材のチューブで被包してなるマグネット本体とこの外面側を被包するアウタパイプとを有するアウタパイプ付バーマグネットであって、該バーマグネットは、前記マグネット本体の一端側面と前記アウタパイプの端側面との間に磁性体を設けることを特徴とするアウタパイプ付バーマグネット。
【請求項２】
前記磁性体は、その外径が前記ヨーク又は前記マグネットの外径よりも少なくとも大径に形成されることを特徴とする請求項１に記載のアウタパイプ付バーマグネット。
【請求項３】
前記アウタパイプ付バーマグネットは、前記ヨーク及びマグネットが、それ等の中心孔を貫通するセンタシャフトによりセンタ支持され、前記アウタパイプ及び前記センタシャフトの一端側が基台に固定されるものであることを特徴とする請求項１又は２に記載のアウタパイプ付バーマグネット。
【発明の詳細な説明】
【技術分野】
【０００１】
本発明は、例えば、異物除去装置の主要構成要素であるバーマグネットに係り、特に、バーマグネットの全体を被包するアウタパイプを有し、かつこのアウタパイプの固持を確実のものとするアウタパイプ付バーマグネットに関する。
【背景技術】
【０００２】
例えば、原料内に混在している鉄片や鉄粉等を除去する異物除去装置にはその主要構成要素としてバーマグネットが採用されている。このバーマグネットの構造としては、例えば、「特許文献１」に示すものがある。この「特許文献１」に示すバーマグネットはセンタシャフトの軸線方向に沿ってヨーク（極板）とマグネットとを交互に隣接して配置し、これ等をチューブで被包すると共に前記センタシャフトの両端に螺着されるエンドプラグに前記チューブの両端を固定したものからなる。バーマグネットは前記のような構造からなるが、図３に示すようにバーマグネットの全体を被包するアウタパイプを設け、これを基台に固定する形式のものがある。
【特許文献１】特許第３１５７３８７号（全頁）
【発明の開示】
【発明が解決しようとする課題】
【０００３】
従来のアウタパイプ付バーマグネットはバーマグネットとこの全体を被包するアウタパイプとからなり、本例ではこれ等は基台に固定されている。バーマグネットは、両端にねじ部を有するセンタシャフトと、この軸線方向に沿って交互に隣接して並設されるヨーク及びマグネットと、これ等の外面を被包する磁性材のチューブと、センタシャフトのねじ部に螺着されてヨーク及びマグネットの全体を圧接固定するエンドプラグ等とからなり、チューブの両端は非磁性体のエンドプラグに固定されるものからなる。なお、センタシャフトの一端側は基台に固定される。本例ではセンタシャフトが用いられているが、アウタパイプについてセンタシャフトの有無による制限はない。
【０００４】
アウタパイプは一端側を開口し他端側に閉止端面を有する細長の中空パイプ体からなり、前記のバーマグネットの全体を被包するものからなる。なお、開口する一端側にはフランジが形成され、基台にビス等により固定される。アウタパイプとバーマグネットとの固定はアウタパイプ側にある止めねじをエンドプラグに螺着して行う。
【０００５】
以上のように、従来のアウタパイプ付バーマグネットは、バーマグネットにアウタパイプを固定するためにバーマグネット側に非磁性体のエンドプラグが必要となり、かつ止めねじが必要となる。このため、バーマグネットとしてはエンドプラグの存在によりその軸線方向の末端まで磁力を有するものにならない。即ち、この部分で鉄片等を吸着除去することができない。また、止めねじによる固定のため、止めねじの損傷により、アウタパイプがバーマグネット側から外れる問題点が生じ易い。
【０００６】
本発明は、以上の事情に鑑みて発明されたものであり、バーマグネットとしては軸線方向に沿ってすべて磁力を有するものからなり、バーマグネットとアウタパイプとの固定が安全に、かつ確実に行われ、更にバーマグネットの端部における磁力の増大が可能になるアウタパイプ付バーマグネットを提供することを目的とする。
【課題を解決するための手段】
【０００７】
本発明は、以上の目的を達成するために、請求項１の発明は、外径のほぼ同一のマグネットとヨーク（極板）とを交互に隣接して配置しその外面を磁性材のチューブで被包してなるマグネット本体とこの外面側を被包するアウタパイプとを有するアウタパイプ付バーマグネットであって、該バーマグネットは、前記マグネット本体の一端側面と前記アウタパイプの端側面との間に磁性体を設けることを特徴とする。
【０００８】
また、請求項２の発明は、前記磁性体は、その外径が前記ヨーク又は前記マグネットの外径よりも少なくとも大径に形成されることを特徴とする。
【０００９】
また、請求項３の発明は、前記アウタパイプ付バーマグネットは、前記ヨーク及びマグネットが、それ等の中心孔を貫通するセンタシャフトによりセンタ支持され、前記アウタパイプ及び前記センタシャフトの一端側が基台に固定されるものであることを特徴とする。
【発明の効果】
【００１０】
本発明の請求項１のアウタパイプ付バーマグネットによれば、マグネット本体とアウタパイプとの間に磁性体を設けることによりアウタパイプがマグネット本体側に磁着され、アウタパイプは止めねじ等を用いることなくバーマグネットに固持される。このためアウタパイプの離脱が生じない。また、エンドプラグを使用しないため、バーマグネットはその全長にわたって磁力を有し、異物除去がより確実に行われる。以上により安全性と取り扱い性の向上が図れ、異物除去効率の向上が図れる。
【００１１】
また、本発明の請求項２のアウタパイプ付バーマグネットによれば、磁性体の外径をバーマグネットのヨークやマグネットの外径より大きくすることにより磁束の増大が図れ、磁束の有効利用ができる。
【００１２】
また、本発明の請求項３のアウタパイプ付バーマグネットによれば、バーマグネットがその中心にセンタシャフトを有するものからなり、センタシャフトのねじ部を利用することにより、バーマグネット側の保持が確実となり、全体としての安全性及び取り扱い性の一層の向上が図れる。
【発明を実施するための最良の形態】
【００１３】
以下、本発明のアウタパイプ付バーマグネットの実施の形態を詳述する。アウタパイプ付バーマグネットは大別してバーマグネット本体とこれを被包するアウタパイプとからなり、これ等は基台に固持される。
【実施例１】
【００１４】
本実施例におけるバーマグネット本体はセンタシャフトを有するものからなるが、必ずしもこの構造に限定するものではない。バーマグネットは、両端にねじ部を形成する細長のセンタシャフトと、センタシャフトの軸線に沿って交互に隣接して挿入されるヨーク及びマグネットと、これ等を被包するチューブ等とからなる。
【００１５】
ヨークとしては、両端側のヨークを除き、センタシャフトの貫通する中心孔を有するリング状部材からなる。両端のヨークは中心にセンタシャフトのねじ部に螺着するねじ孔を貫通形成したものからなり、このヨークを締め込むことによりヨークとマグネットとは押圧され保持される。また、基台側のヨークにはセンタシャフトのねじ部に螺合するエンドプラグが当接して配置されている。また、エンドプラグから飛び出ているセンタシャフトのねじ部は基台に螺着され、バーマグネット本体を基台側に固持される。
【００１６】
チューブは、他端側に閉止端を有する中空パイプ状のものからなり、開口している一端側はエンドプラグに当接し固持される。また、閉止端の内面は他端側のヨークに当接又は近接して配置される。
【００１７】
一方、アウタパイプは、一端側に開口部を有し、他端側に閉止端を有する中空パイプ状のものからなり、開口部側にはフランジが形成され、フランジはビスにより基台側に固定され、アウタチューブを基台側に固持するこのアウタパイプはバーマグネットを被包するものからなるが、その閉止端とバーマグネットのチューブの閉止端との間には空隙が形成される。
【００１８】
磁性体は磁石又は軟磁性体等とからなり、前記の空隙内に収納される。本実施例では磁性体はアウタパイプの閉止端の内壁側に固定されるがこれに限定するものではないくマグネット本体とアウタチューブとの端面間に磁性体が設けられるのであればよい。
【００１９】
以上の構造により、アウタパイプの軸長を適宜設定することにより、アウタパイプは磁性体によりバーマグネットのチューブの閉止端に磁着し、両端は一体物として結合される。なお、フランジはアウタパイプの磁着時において基台側と若干の隙間を有するものからなり、前記のようにビスより基台側に固定されることになる。
【００２０】
以上により、バーマグネット本体及びアウタパイプとは一体的構造の状態で基台側に固定され、離脱や脱落が生じない。また、アウタパイプ付バーマグネットは磁性体側にエンドプラグがなく、かつ磁性体を端部に有するため、その軸長全体にわたって磁力を発生させるものからなる。また、バーマグネットとアウタパイプとは磁性体による磁力結合のため、磁力がなくならない以上、両者は確実に磁力結合される。これにより、安全性の向上が図れる。
【実施例２】
【００２１】
前記のアウタパイプ付バーマグネットは、磁性体の外径がヨークやマグネットの外径とほぼ同径のものからなるが、この磁性体はヨークやマグネットの外径より少なくとも大径であることが望ましく、ヨークやマグネットの外径より小径でない方がよい。この利用は、磁性体の外径がヨークやマグネットの外径より小径の場合の磁性体とヨーク等との間の磁束の分布が磁性体が大径の場合に較べて磁束量が少なくなり、磁性体による磁力増大効果が小さくなるためである。また、磁性体は磁石や軟磁性体が採用されるが、磁石はＮ／Ｓの方向を決める必要があるが、磁気的に吸着する配置なら良い。
【産業上の利用可能性】
【００２２】
本発明のアウタパイプ付バーマグネットは異物除去装置の異物吸着用のマグネットとして使用されるが、その他の装置に対しても適用され、その利用範囲は広い。